(57)【要約】【課題】予め貼着してある図柄シールを使用して手軽に綺麗に写真、葉書などを貼ることができるし、貼り忘れがないのでこれらの散逸を防止でき、しかも複数人のスケジュールを個別に記録できるので混同や誤認を防止でき、１年後にはアルバムに編集できるアルバムカレンダーを提供する。【解決手段】上側シート１は、適宜の模様を表した表面１Ａに、任意の図柄シール２が剥離可能に貼着してある。上側シート１の下縁部に、毎日の記入欄を有する1ヶ月の暦３Ｂを表面３Ｂに表したカレンダーシート３が連結してある。各カレンダーシート３の縁部には、カレンダーシート３の表面３Ｂに重畳する透明な多目的シート１７が設けてある。多目的シート１７は少なくとも表面１７Ｂを記録記載面とシール貼着面としてある。【選択図】図１
0003145868.tif 000002
【実用新案登録請求の範囲】
【請求項１】
適宜の模様を表した表面に、任意の図柄シールを剥離可能に貼着して構成し、相手部材に係着する上側シートと、該上側シートの下縁部に連結され、毎日の記入欄を有する１ヶ月から数ヶ月の暦を表面に表して形成した１年分のカレンダーシートと、該各カレンダーシートの縁部に取着され、該カレンダーシートの表面に重畳する透明な多目的シートとから構成し、前記カレンダーシート及び多目的シートにアルバム用綴じ穴を形成し、かつ該多目的シートは少なくとも表面を記録記載面とシール貼着面とするものであることを特徴とするアルバムカレンダー。
【請求項２】
前記上側シートの表面には、前記図柄シールと同形の図柄を表し、該図柄の上に該図柄シールを貼着してあることを特徴とする請求項１記載のアルバムカレンダー。
【請求項３】
前記カレンダーシートの各々は、前記上側シートから切離可能であることを特徴とする請求項１記載のアルバムカレンダー。
【請求項４】
前記カレンダーシートの各々は、裏面に収納ポケットを設けてあることを特徴とする請求項１記載のアルバムカレンダー。
【請求項５】
前記多目的シートは、上縁部、左右側縁部のいずれか１の縁部を前記カレンダーシートに貼着することにより捲り可能に設けてあることを特徴とする請求項１記載のアルバムカレンダー。
【請求項６】
前記多目的シートは、前記カレンダーシートから分離可能に構成してあることを特徴とする請求項１記載のアルバムカレンダー。
【請求項７】
複数枚のシート材を上下方向又は左右方向に見開き可能に連結し、該各シート材は表面及び裏面の一部に適宜の模様を表すと共に、任意の図柄シールを剥離可能に貼着し、前記表面及び裏面の他部に毎日の記入欄を併記した暦を表して構成し、相手部材に係着可能にした１年分のカレンダーシートと、該各カレンダーシートの縁部に取着され、該カレンダーシートに重畳する透明な多目的シートとから構成し、前記カレンダーシート及び多目的シートにアルバム用綴じ穴を形成し、かつ該多目的シートは少なくとも記録記載面とシール貼着面とするものであることを特徴とするアルバムカレンダー。
【請求項８】
前記シート材の表面及び裏面には、前記図柄シールと同形の図柄を表し、該図柄の上に該図柄シールを貼着してあることを特徴とする請求項７記載のアルバムカレンダー。
【請求項９】
前記多目的シートは、上縁部、左右側縁部のいずれか１の縁部を前記カレンダーシートに貼着することにより捲り可能に設けてあることを特徴とする請求項７記載のアルバムカレンダー。
【請求項１０】
前記多目的シートは、前記カレンダーシートから分離可能に構成してあることを特徴とする請求項７記載のアルバムカレンダー。
【考案の詳細な説明】
【技術分野】
【０００１】
本考案は、毎月の日々のスケジュールを記録することや、その月に写した記念写真等を貼り付けることができ、当該月が終わった後は記念写真等を月順に保存するアルバムに編集できるアルバムカレンダーに関する。
【背景技術】
【０００２】
例えば、子供が誕生すると、その育児や成長に関わりのある日の記録としてカレンダーの該当日に書き込んで記録として残し、また記念の写真を撮ることは多く見受けられる光景である。この場合カレンダーと写真を一緒にリンクさせておくことができれば、記録や写真の散逸を防ぎ、また写真に関する記録を後年まで明確に残すことができるという利点がある。
【０００３】
そこで、アルバムとカレンダーを一体化した技術が提案されている。例えば、表表紙１０と裏表紙１１の折り目１２に沿って複数の枚葉２０の一端を付着し、一枚ずつページ繰りを可能にし、各枚葉２０の表面２１には月別カレンダーが印刷され、裏面２２には写真を収納可能なポケットを設けたカレンダー付き写真アルバムがある（特許文献１）。
【特許文献１】実用新案登録第３０７７９７２号公報
【考案の開示】
【考案が解決しようとする課題】
【０００４】
上述の従来技術はある月とその月に写した写真を一体に保管できる点で優れているが、写したばかりの写真を各枚葉２０の表面２１に貼り付けるには接着剤で貼り付けるか、粘着テープを使うために見栄えが悪いし、剥す時に破れるおそれがあるという欠点、或いは別売りの粘着シールを使うと綺麗に貼り付けることは出来るが、常に用意しておかなければならず、手元にない場合には面倒であるという欠点がある。また、同じ日の家族のスケジュールを記入欄に記入する場合にスペースが足りないと、簡略化して記入することから、別の人のスケジュールと混同や誤認を生じてしまうといった欠点がある。
【０００５】
本考案は上述した従来技術の諸欠点に鑑みなされたもので、予め貼着してある図柄シールを使用することで手軽に綺麗に写真、葉書などを貼ることができるし、貼り忘れもないのでこれらが散逸することも防止でき、しかも複数人のスケジュールを個別に記録できるので混同や誤認を防止することができるアルバムカレンダーを提供することを目的とする。
【課題を解決するための手段】
【０００６】
上述した課題を解決するために構成した請求項１に係る本考案の手段は、適宜の模様を表した表面に、任意の図柄シールを剥離可能に貼着して構成し、相手部材に係着する上側シートと、該上側シートの下縁部に連結され、毎日の記入欄を有する1ヶ月から数ヶ月の暦を表面に表して形成した１年分のカレンダーシートと、該各カレンダーシートの縁部に取着され、該カレンダーシートの表面に重畳する透明な多目的シートとから構成し、前記カレンダーシート及び多目的シートにアルバム用綴じ穴を形成し、かつ該多目的シートは少なくとも表面を記録記載面とシール貼着面とするものからなる。
【０００７】
そして、前記上側シートの表面には、前記図柄シールと同形の図柄を表し、該図柄の上に該図柄シールを貼着する構成にしてもよい。
【０００８】
また、前記カレンダーシートの各々は、前記上側シートから切離可能にするとよい。
【０００９】
また、前記カレンダーシートの各々は、裏面に収納ポケットを設けるとよい。
【００１０】
更に、前記多目的シートは、上縁部、左右側縁部のいずれか１の縁部を前記カレンダーシートに貼着することにより捲り可能に設けるとよい。
【００１１】
また、前記多目的シートは、前記カレンダーシートから分離可能に構成するとよい。
【００１２】
更に、本願の請求項７に係る本考案を構成する手段は、複数枚のシート材を上下方向又は左右方向に見開き可能に連結し、該各シート材は表面及び裏面の一部に適宜の模様を表すと共に、任意の図柄シールを剥離可能に貼着し、前記表面及び裏面の他部に毎日の記入欄を併記した暦を表して構成し、相手部材に係着可能にした１年分のカレンダーシートと、該各カレンダーシートの縁部に取着され、該カレンダーシートに重畳する透明な多目的シートとから構成し、前記カレンダーシート及び多目的シートにアルバム用綴じ穴を形成し、かつ該多目的シートは少なくとも記録記載面とシール貼着面とするものからなる。
【００１３】
そして、前記シート材の表面及び裏面には、前記図柄シールと同形の図柄を表し、該図柄の上に該図柄シールを貼着する構成にしてもよい。
【００１４】
また、前記多目的シートは、上縁部、左右側縁部のいずれか１の縁部を前記カレンダーシートに貼着することにより捲り可能に設けるとよい。
【００１５】
更に、前記多目的シートは、前記カレンダーシートから分離可能に構成するとよい。
【考案の効果】
【００１６】
本考案は上述の如く構成したから、下記の諸効果を奏する。
（１）壁や柱などの相手部材に係着する上側シートには図柄シールを剥離可能に貼着し、写真や葉書などは図柄シールによって上側シートやカレンダーシートに貼着するようにしたから、簡便で面倒がないし、その時に直に貼着してしまうので、写真などが散逸してしまう事態も解消することができる。また、粘着テープで止める場合に比べて見た目も綺麗でカレンダーとしての美観を損うことがない。
（２）上側シートは、表面に表した図柄の上に同じ形状の図柄シールを剥離可能に貼着する構成にしたから、図柄シールを剥しても上側シートに空白部分ができることがなくカレンダーとしての美観を損うことがない。
（３）上側シートに連結する複数枚のカレンダーシートには、毎日の記入欄を有する１ヶ月から数ヶ月の暦を表し、その上に表面を記録記載面とシール貼着面とする透明の多目的シートを捲り可能に重畳する構成にしたから、同じ日に複数人がその日のスケジュールを重ねて記録することができるので、予め日程調整も可能になり日程の重複といった事態を解消できる。
（４）カレンダーシートと多目的シートにはアルバム用綴じ穴を形成してあるから、１年分のカレンダーシートと多目的シートは１年のアルバムとして編集することができる。
（５）カレンダーシートの記入欄の利用者と多目的シートの利用者を特定できるから、特定人のスケジュールを家族などの他の人も確認できるし、スペースに限りのある記入欄に複数人がスケジュールを書き込んで誤認を招いたり、判読不能になったりする事態を解消することができる。
（６）カレンダーシートの各々は、上側シートから切離可能に構成してあるから、カレンダーシートは月の経過後は上側シートから切離して順次連結することにより１年間のアルバムに編集することができる。
（７）各カレンダーシートは裏面に収納ポケットを設けたから、月を区切りに写真、記念チケット、子供の作った折り紙などを収納整理することが可能であり、これらが散逸してしまうといった事態を解消できる。
（８）１枚のカレンダーシートに３枚の多目的シートを重畳可能に設けたから、最大４人までの各人のスケジュールを個別に記録することが可能であり、全員のスケジュールの重複を避けることができるし、他の人のスケジュールと誤認することも解消できる。
（９）多目的シートはカレンダーシートから分離可能にしたから、数ヶ月から１年分の特定人や特定の目的の多目的シートのみを編集することができる。
（１０）複数枚のシート材を上下方向又は左右方向に見開き可能に連結し、各シート材の表面及び裏面の他部に毎日の記入欄を併記した暦を表すことにより１年分のカレンダーシートに構成したから、１ヶ月の予定行事の進行が分かり易いカレンダーとして使用できる。また、記入欄を広くすることができる。
【考案を実施するための最良の形態】
【００１７】
以下、本考案の実施の形態を図面に基づき詳述する。図１乃至図７は第１の実施の形態を示す。図において、１は上側シートで、該上側シート１は若干の芯のある強さを有する紙で略四角形に形成したものからなり、表面１Ａには空の風景（鳥、花、動物、デザイン文字等適宜の図柄でよい。）１Ｂが印刷して表してある。そして、上側シート１の上縁部１Ｃ側中央には壁掛け等のための係合穴１Ｄが穿設してあり、壁や柱等の相手部材に画鋲や、係止フックなどにより係着可能にしてある。また、上側シート１の下縁部１Ｅ側には、多数の小孔を横一列に並べた下側結合部１Ｆが設けてある。
【００１８】
２、２、・・・は、前記上側シート１に貼着する鳥の形状の図柄シールで、該図柄シール２は裏面を粘着面にしてある。該各図柄シール２は、図３に示すように、上側シート１に表してある模様１Ｂの上に貼り付けてあり、必要に応じて剥がして写真Ａ、葉書Ｂの他、新聞記事や子供の描いた絵の切抜きなどを貼付けるシールとして、或いは後述するカレンダーシート３の飾りとして使用するものである。
【００１９】
３、４、・・・、１４は上側シート１の下縁部１Ｅに連結した１月〜１２月までの１２枚のカレンダーシートを示す。なお、１２枚のカレンダーシート３、４、・・・１４の基本構成は共通するので、１月のカレンダーシート３について説明するものとし、以下の説明ではカレンダーシート３と総称する。カレンダーシート３の表面３Ａには１月の暦３Ｂが印刷して表してあり、毎日毎に記入欄３Ｃ、３Ｃ、・・・が設けてある。そして、上縁部３Ｄ側には多数の小孔を横一列に並べた上側結合部３Ｅが設けてあり、その下側には左右一対のアルバム用綴じ穴３Ｆ、３Ｆが穿設してある。また、下縁部３Ｇ側の中央には係止用穴３Ｈが穿設してある。
【００２０】
図２において、１５、１５はカレンダーシート３の裏面３Ｊに設けた収納ポケットで、該各収納ポケット１５は例えば写真、ネガフィルム、動物園のチケット、記念メダル、ＣＤ−ＲＯＭ等の１ヶ月の記念になる品物であまり厚みのない物を収納するためのものである。
【００２１】
そして、カレンダーシート３は上側シート１にコイル状連結材１６で連結してある。該コイル状連結材１６は金属や合成樹脂の線材からなり、上側シート１の下側結合部１Ｆとカレンダーシート３の上側結合部３Ｅにかけて螺旋状に挿通することで、カレンダーシート３は上側シート１に連結支持されており、かつ上方に捲ることができるようになっている。また、カレンダーシート３は上側結合部３Ｅで切離すことが可能にしてある。
【００２２】
更に、１７はカレンダーシート３の表面３Ａに重畳して使用する透明な多目的シートを示す。該多目的シート１７は上縁部１７Ａ側をカレンダーシート３の上縁部３Ｄに接着し、上方に捲ることができるようにしてある。多目的シート１７は、上縁側に一対のアルバム用綴じ穴１７Ｃ、１７Ｃを穿設してあると共に、ミシン目１７Ｄが形成してあり、カレンダーシート３から切離すことで分離可能にしてある。また、下縁側中央には係止用孔１７Ｅが穿設してある。
【００２３】
上述の多目的シート１７は、カレンダーシート３に被せた状態で家族の中の特定の人が該当する日の記入欄の位置に合わせて表面１７Ｂにスケジュールを書き込むことで、２人が同日のスケジュールを記録することができ、重なった各人のスケジュールの調整を図ることができる。
【００２４】
本実施の形態に係るアルバムカレンダーは上述の構成からなり、例えば壁や柱に止め具を介して係止することで、本来の月毎のカレンダーとして使用することができる。更に、家族のスケジュールを該当日の欄に記入することも通常行う使用であるが、図３に示すように、その月に撮った写真Ａや受取った葉書Ｂ、該当日の新聞記事の切抜きなどを図柄シール２で上側シート１やカレンダーシート３に貼着して飾ることができる。
【００２５】
また、多目的シート１７は、左右一方の縁部１７Ｆ、１７Ｇをカレンダーシート３の側縁部に貼着して設け、該当日の記入欄３Ｃに書き込むようにして、各多目的シート１７の表面１７Ｂにスケジュールをカラーペンなどで記入する。これにより、例えば家族４人全員のスケジュールを個別に記録することができるから、同日に他の人のスケジュールと重なるか否かを一目で確認することができるし、日程の調整も容易に行うことができる。なお、このような使い方によるスケジュールの調整は、家族に限られるものではなく、会社の部署、趣味のクラブなどでも有用である。
【００２６】
更に、図４は多目的シート１７の他の使用方法を示し、多目的シート１７は捲って上側シート１の表面１Ａに図柄シール２で貼着固定することにより、上側シート１に貼着した写真Ａなどの保護カバーとして使用することができる。また、図５に示すように、上側シート１７側に捲って図柄シール２で貼着固定することにより、収納部１８を形成する使い方もできる。
【００２７】
また、多目的シート１７はミシン目１７Ｄでカレンダーシート３から切離し、多目的シート１７だけを綴じて保存する使い方もできる。
【００２８】
なお、本実施の形態では、上側シート１の表面１Ａに適宜の模様１Ｂを表した構成にしたが、上側シート１の表面１Ａに鳥、花などの適宜の図柄を模様と共に表し、この上に同じ形状の成形した図柄シール２を剥離可能に貼る構成にしてもよい。このようにすることにより、図柄シール２を剥しても、上側シート１のデザインが変わることがない。
【００２９】
また、カレンダーシート３は上側シート１にコイル状連結材１６で連結したが、環状連結具により連結してもよいし、ミシン目や糊付けで切離し可能に連結してもよい。
【００３０】
更に、多目的シート１７の上縁部１７Ａをカレンダーシート３と同様にコイル状連結材１６に係着してもよい。
【００３１】
本実施の形態では、カレンダーシート３を１ヶ月単位の暦に形成したが、１枚のカレンダーシート３に２ヶ月、３ヶ月の暦を表して使用してもよい。
【００３２】
なお、本考案に係るアルバムカレンダーは形状に限定は無く、図６に示す自動車などの乗り物の形状にすることや、図７に示す猫などの動物の形状にすることで、子供が楽しめるカレンダーとして使用できる。
【００３３】
次に、図８に第２の実施の形態に係るアルバムカレンダーを示す。なお、本実施の形態において第１の実施の形態の構成要素と同一の構成要素には同一の符号を付して援用し、その説明を省略する。図中、２１、２１、・・・はアルバムカレンダーを構成する１３枚のカレンダーシートを示す。２２は該各カレンダーシート２１を構成するシート材で、該シート材２２は強度のある上質紙を四角形に裁断し、縁部に多数の小孔を横一列に並べた結合部２２Ａを形成し、該結合部２２にコイル状連結材１６螺旋に挿通することにより、１３枚のシート材２２は上下方向に見開き可能に連結してある。
【００３４】
２３は各シート材２２の表面２２Ａ及び裏面２２Ｂに印刷等の方法により表した模様で、該模様２３はシート材２２の全面の一部、略３分の２の左側面に表してある。そして、各シート材２２の表面２２Ａ及び裏面２２Ｂには図柄シール２、２、・・・が剥離可能に貼着してある。
【００３５】
２４は各シート材２２の表面２２Ａ及び裏面２２Ｂの全面の他部、略３分の１の右側面に縦方向に表した暦で、該暦２４はシート材２２、２２を展開した状態で１ヶ月を表示するように、上側に位置するシート材２２には１日〜１５日まで、下側に位置するシート材２２には１６日から３０日又は３１日が曜日と共に表してあり、各日毎に右側が記入欄２５になっている。
【００３６】
２６、２６は各シート材２２の表面２２Ａ及び裏面２２Ｂに重畳して用いる透明の多目的シートで、該多目的シート２６は縁部に形成した結合部２６Ａにコイル状連結材１６を挿通することにより、上方に捲ることが可能に設けてある。なお、本実施の形態における多目的シート２６の使い方や分離可能であることは第１の実施の形態の多目的シート１７と同じである。２７は各シート材２２の上縁側中央に設けた係止用穴、２８、２８はシート材２２の下縁側に設けた一対のアルバム用綴じ穴である。
【００３７】
本実施の形態に係るアルバムカレンダーは上述の構成からなり、その基本的な使い方は第１の実施の形態と異なるところはないが、１ヶ月の暦を２枚のシート材２２、２２に分けて表してあるので、広い記入欄２５にできる。また、半月が経過したら、アルバムシート２１を逆Ｖ字状に折り返して卓上カレンダーとして使用してもよい。
【００３８】
なお、アルバムシート２１は２枚のシート材２２、２２に１ヶ月の暦２４を表したが、１枚のシート材２２に１ヶ月の暦２４を表す構成にしてもよい。また、アルバムシート２１は各シート材２２が上下方向に見開く構成にしたが、左右の横方向に見開く構成にしてもよい。
【図面の簡単な説明】
【００３９】
【図１】本考案の実施の形態に係るアルバムカレンダーの全体構成を示す分解斜視図である。
【図２】収納ポケットを示すカレンダーシートの裏面図である。
【図３】アルバムカレンダーの使用手順を示す説明図である。
【図４】透明シートの使用例を示す説明図である。
【図５】透明シートの他の使用例を示す説明図である。
【図６】変形例に係るアルバムカレンダーの展開図である。
【図７】他の変形例に係るアルバムカレンダーの展開図である。
【図８】第２の実施の形態に係るアルバムカレンダーの全体構成を示す斜視図である。
【符号の説明】
【００４０】
１        上側シート
１Ａ      表面
２        図柄シール
３〜１４  カレンダーシート
３Ｆ      アルバム用綴じ穴
１５      収納ポケット
１７      多目的シート
１７Ｂ    表面
１７Ｃ、２８  アルバム用綴じ穴
１７Ｄ    ミシン目
１７Ｅ、１７Ｆ  側縁部
２１      カレンダーシート
２２      シート材
２３      模様
２４      暦
２５      記入欄
【図１】
0003145868.tif 000003
【図２】
0003145868.tif 000004
【図３】
0003145868.tif 000005
【図４】
0003145868.tif 000006
【図５】
0003145868.tif 000007
【図６】
0003145868.tif 000008
【図７】
0003145868.tif 000009
【図８】
0003145868.tif 000010